(57)【特許請求の範囲】
【請求項１】
画像データを入力する入力手段と、前記画像データに基づき形成された画像を出力する出力手段と、前記入力手段から入力される画像データを蓄積する蓄積手段とを備えるとともに、前記蓄積手段に蓄積された画像データに基づいて表示画像を生成する表示画像生成手段と、前記表示画像生成手段により生成された表示画像を表示するプレビュー領域を備える表示手段と、前記表示画像生成手段により生成された表示画像を前記表示手段上にプレビュー表示する表示制御手段と、を具備する画像表示操作装置を備える画像形成装置において、
前記表示手段は、プレビュー表示される表示画像のサイズに応じて、選択手段により前記プレビュー領域の大きさを変更して表示する機能を備えることを特徴とする画像形成装置。
【請求項２】
前記表示制御手段は、前記画像データの入力が停止されたことを報知すること機能を備えることを特徴とする請求項１に記載の画像形成装置。
【請求項３】
前記表示手段は、一端側に前記機能選択領域を備えるとともに、他端側に操作に関する情報を表示する情報表示領域を備え、
前記プレビュー領域は、前記表示手段の前記機能選択領域と前記情報表示領域との間に配置されることを特徴とする請求項１に記載の画像形成装置。
【請求項４】
前記表示手段には、機能選択メニューが表示され、
前記機能選択メニューは、複数の表示モードを備え、
前記表示手段は、前記表示モードに応じて、ユーザの選択により前記プレビュー領域の大きさを変更して表示する機能を備えることを特徴とする請求項１に記載の画像形成装置。
【請求項５】
前記表示制御手段は、前記画像データに基づく表示画像を前記プレビュー領域の一方端から出現させて、中央位置に向かって移動するように表示する機能を備えることを特徴とする請求項１に記載の画像形成装置。
【請求項６】
前記表示制御手段は、前記画像データに基づく表示画像を前記プレビュー領域に表示するときは、操作についての情報が表示されるアクションパネル領域の背後から出現するように表示する機能を備えることを特徴とする請求項１に記載の画像形成装置。
【請求項７】
前記表示制御手段は、前記プレビュー領域に２枚目の表示画像を表示するときは、１枚目の表示画像を徐々に小さくしながら消去する機能を備えることを特徴とする請求項６に記載の画像形成装置。
【請求項８】
前記表示制御手段は、画像データの入力中に画像データの入力が途中停止した場合に、前記画像データの入力状況を案内する前記画像データに基づく表示画像のプレビュー表示を展開することを停止する機能と、画像データの入力停止前に入力が完了した最終の画像データの表示画像を表示する機能を備え、
画像データの入力中に画像データの入力が途中停止した場合に、画像データの入力停止前に入力が完了した最終の画像データの表示画像を表示することを特徴とする請求項１から７のうちの何れか一項に記載の画像形成装置。
【請求項９】
前記表示制御手段は、画像データの入力中に画像データの入力が途中停止した場合に、前記画像データの入力状況を案内する前記画像データに基づく表示画像のプレビュー表示を展開することを停止する機能と、画像データの入力停止状態を解除するための案内画面を表示する機能を備え、
画像データの入力中に画像データの入力が途中停止した場合に、画像データの入力停止状態を解除するための案内画面を表示することを特徴とする請求項１から７のうちの何れか一項に記載の画像形成装置。
【請求項１０】
前記表示制御手段は、入力処理を再開する指示画面を表示する機能と、画像データの入力処理を再開する機能とを備え、
画像データの入力停止状態が解除された後に、入力処理を再開する指示画面を表示して、入力処理を再開する指示があったときに、画像データの入力処理を再開することを特徴とする請求項９に記載の画像形成装置。
【請求項１１】
前記表示制御手段は、どの画像から入力再開が必要かを報知する機能を備え、
画像データの入力停止状態が解除された後に、どの画像から入力再開が必要かを報知することを特徴とする請求項１０に記載の画像形成装置。
【請求項１２】
前記表示制御手段は、最初に入力された画像データの表示画像を表示する機能を備え、
画像データの入力停止状態が解除された後に、画像データの入力処理を再開した場合には、最終画像データの入力状況が表示された後に、最初に入力された画像データの表示画像を表示することを特徴とする請求項８から１１のうちの何れか一項に記載の画像形成装置。
【発明の詳細な説明】
【技術分野】
【０００１】
本発明は、複写機やプリンタ、ファクシミリ等の画像形成装置に係り、特に、入力された原稿画像をプレビュー表示可能な画像表示操作装置を備えた画像形成装置に関する。
【背景技術】
【０００２】
近年、入力された原稿画像をプレビュー表示可能な画像表示操作装置を備えた画像形成装置が知られている。このような画像形成装置によれば、ジョブの実行前に事前に原稿をスキャン（プリスキャン）した処理結果を表示画面上にプレビュー表示することで、出力する前に読み取った原稿を確認することができる。
【０００３】
従来技術として、例えば、画像形成装置において、原稿の読取り処理が途中で異常中断した場合、原稿全体を読取りしていないけれども、必要部分は読取り完了している原稿については読み直すことなく読取り終了にできるようにしたものが開示されている（特許文献１を参照）。
【０００４】
具体的には、図３２に示すよう、原稿の画像の読取りを開始し（ステップＳ１）、その読取り結果の画像から画像パターンを認識し（ステップＳ２）、その画像パターンを蓄積し（ステップＳ３）、ジャム検知部がジャム発生を検知したら（ステップＳ４）、ジャム通知（ステップＳ７）とジャム原稿の取り除き指示（ステップＳ８）をし、原稿の画像の読取りを終了にするか否かを判断し（ステップＳ９）、読取りを終了にすると判断したら、読取り画像未読取り部分の補完処理を実行し（ステップＳ１０）、読取りを終了し（ステップＳ５）、次の読取りを開始する（ステップＳ６）。
【０００５】
また、読取り終了可否判断処理の一例として、図３３に示すように、ステップＳ９１において、読取り中断によって正常に得られなかった読取り結果の画像をプレビュー表示すると共に、その結果画像を以って読取りを終了しても良いか否かを指示するようにユーザに促すユーザインターファイス（具体的にはメッセージの表示と指示入力画面の表示）を提示する例が記載されている。
【先行技術文献】
【特許文献】
【０００６】
【特許文献１】特開２００７−３２５０６６号公報
【発明の概要】
【発明が解決しようとする課題】
【０００７】
しかしながら、上述した技術は、原稿の読取り処理が途中で異常中断した場合に、異常原因の除去後、異常中断前に必要部分の読取りは完了しているものとして読取りを終了するか否かを判断するものであり、読取りを終了しない場合は、異常中断までに読取られた画像を破棄して、再度全原稿の読取りをし直さなければならないという問題があった。
【０００８】
また、入力された画像データの入力状況をプレビュー表示するようされた画像形成装置においては、原稿の読取り処理（画像データの入力）が途中で停止した場合に、単に画像データの入力状況に関する表示を停止してしまうと、ユーザに困惑を与えかねない。
【０００９】
本発明は、上記従来の課題に鑑みてなされたものであり、入力された原稿の画像をリアルタイムにプレビュー表示することで、原稿の読取り処理が途中で中断した場合でも、入力の進捗状態を確認することができ、停止状態の解除後に停止以降分から入力処理を再開する際に、ユーザに対して無駄な手間を与えず、利便性の向上を図ることができる画像形成装置を提供することを目的とする。
【課題を解決するための手段】
【００１０】
本発明は、画像データを入力する入力手段と、前記画像データに基づき形成された画像を出力する出力手段と、前記入力手段から入力される画像データを蓄積する蓄積手段とを備えるとともに、前記蓄積手段に蓄積された画像データに基づいて表示画像を生成する表示画像生成手段と、前記表示画像生成手段により生成された表示画像を表示するプレビュー領域を備える表示手段と、前記表示画像生成手段により生成された表示画像を前記表示手段上にプレビュー表示する表示制御手段と、を具備する画像表示操作装置を備える画像形成装置において、前記表示手段は、プレビュー表示される表示画像のサイズに応じて、選択手段により前記プレビュー領域の大きさを変更して表示する機能を備えることを特徴とするものである。
【００１１】
また、本発明は、前記表示制御手段の構成として、前記画像データの入力が停止されたことを報知すること機能を備えることが好ましい。
【００１２】
また、本発明は、前記表示手段として、一端側に前記機能選択領域を備えるとともに、他端側に操作に関する情報を表示する情報表示領域を備え、前記プレビュー領域を前記表示手段の前記機能選択領域と前記情報表示領域との間に配置することが好ましい。
【００１３】
また、本発明は、前記表示手段には、機能選択メニューが表示され、前記機能選択メニューとして、複数の表示モードを備え、前記表示手段の構成として、前記表示モードに応じて、ユーザの選択により前記プレビュー領域の大きさを変更して表示する機能を備えることが好ましい。
【００１４】
また、本発明は、前記表示制御手段の構成として、前記画像データに基づく表示画像を前記プレビュー領域の一方端から出現させて、中央位置に向かって移動するように表示する機能を備えることが好ましい。
【００１６】
また、本発明は、前記表示制御手段の構成として、前記画像データに基づく表示画像を前記プレビュー領域に表示するときは、操作についての情報が表示されるアクションパネル領域の背後から出現するように表示する機能を備えることが好ましい。
【００１７】
また、本発明は、前記表示制御手段の構成として、前記プレビュー領域に２枚目の表示画像を表示するときは、１枚目の表示画像を徐々に小さくしながら消去する機能を備えることが好ましい。
【００１８】
また、本発明は、前記表示制御手段の構成として、画像データの入力中に画像データの入力が途中停止した場合に、前記画像データの入力状況を案内する前記画像データに基づく表示画像のプレビュー表示を展開することを停止する機能と、画像データの入力停止前に入力が完了した最終の画像データの表示画像を表示する機能を備え、画像データの入力中に画像データの入力が途中停止した場合に、画像データの入力停止前に入力が完了した最終の画像データの表示画像を表示することが好ましい。
【００１９】
また、本発明は、前記表示制御手段の構成として、画像データの入力中に画像データの入力が途中停止した場合に、前記画像データの入力状況を案内する前記画像データに基づく表示画像のプレビュー表示を展開することを停止する機能と、画像データの入力停止状態を解除するための案内画面を表示する機能を備え、画像データの入力中に画像データの入力が途中停止した場合に、画像データの入力停止状態を解除するための案内画面を表示することが好ましい。
【００２０】
また、本発明は、前記表示制御手段の構成として、入力処理を再開する指示画面を表示する機能と、画像データの入力処理を再開する機能とを備え、画像データの入力停止状態が解除された後に、入力処理を再開する指示画面を表示して、入力処理を再開する指示があったときに、画像データの入力処理を再開することが好ましい。
【００２１】
また、本発明は、前記表示制御手段の構成として、どの画像から入力再開が必要かを報知する機能を備え、画像データの入力停止状態が解除された後に、どの画像から入力再開が必要かを報知することが好ましい。
【００２２】
また、本発明は、前記表示制御手段の構成として、最初に入力された画像データの表示画像を表示する機能を備え、画像データの入力停止状態が解除された後に、画像データの入力処理を再開した場合には、最終画像データの入力状況が表示された後に、最初に入力された画像データの表示画像を表示することが好ましい。
【発明の効果】
【００２３】
本発明によれば、画像データを入力する入力手段と、前記画像データに基づき形成された画像を出力する出力手段と、前記入力手段から入力される画像データを蓄積する蓄積手段とを備えるとともに、前記蓄積手段に蓄積された画像データに基づいて表示画像を生成する表示画像生成手段と、前記表示画像生成手段により生成された表示画像を表示するプレビュー領域を備える表示手段と、前記表示画像生成手段により生成された表示画像を前記表示手段上にプレビュー表示する表示制御手段と、を具備する画像表示操作装置を備える画像形成装置において、前記表示手段は、プレビュー表示される表示画像のサイズに応じて、選択手段により前記プレビュー領域の大きさを変更して表示する機能を備えることで、原稿の読取り処理が途中で中断した場合でも、入力の進捗状態を確認することができ、停止状態の解除後に停止以降分から入力処理を再開する際に、ユーザに対して無駄な手間を与えずに操作を行なうことができるので、利便性の向上を図ることができる。
【図面の簡単な説明】
【００２４】
【図１】本発明の実施形態に係る画像形成装置の全体の構成を示す説明図である。
【図２】前記画像形成装置の内部構成を簡略化して示す説明図である。
【図３】前記画像形成装置のハードウェア構成を示す機能ブロック図である。
【図４】前記画像形成装置のタッチパネルディスプレイのプレビュー領域を示す説明図である。
【図５】前記タッチパネルディスプレイに表示される画面例を示す説明図である。
【図６】前記タッチパネルディスプレイに表示されるプレビュー領域を変更した状態を示す説明図である。
【図７】前記タッチパネルディスプレイを構成する表示パネルの表示態様を示す説明図である。
【図８】前記画像形成装置における操作ユニットの電気的構成を示すブロック図である。
【図９】前記操作ユニットを構成するタッチパネルディスプレイの構成を示すブロック図である。
【図１０】前記画像形成装置において画像データの入力処理が行なわれるときの動作フローを示すフローチャートである。
【図１１】前記タッチパネルディスプレイの原稿読取り時の表示画面を示す説明図である。
【図１２】前記タッチパネルディスプレイにおける原稿読取り開始時のプレビュー領域の表示状態を示す説明図である。
【図１３】前記画像形成装置の原稿読取部により１枚目の原稿を読取り始めたときの前記プレビュー領域における１枚目の画像の表示状態を示す説明図である。
【図１４】前記原稿読取部による１枚目の原稿読取り中のときの前記プレビュー領域における１枚目の画像の表示状態を示す説明図である。
【図１５】前記原稿読取部による１枚目の原稿の読取りが終了したときの前記プレビュー領域における１枚目の画像の表示状態を示す説明図である。
【図１６】前記プレビュー領域に表示された１枚目の画像が徐々に消去される状態を示す説明図である。
【図１７】前記原稿読取部による２枚目の原稿の読取りが開始されたときの前記プレビュー領域における２枚目の画像の表示状態を示す説明図である。
【図１８】前記原稿読取部による２枚目の原稿の読取りが終了したときの前記プレビュー領域における２枚目の原稿の画像の表示状態を示す説明図である。
【図１９】前記原稿読取部による３枚目の原稿の読取りが開始されたときの前記プレビュー領域における３枚目の画像の表示状態を示す説明図である。
【図２０】前記原稿読取部においてトラブルが発生したときの前記タッチパネルディスプレイの表示画面を示す説明図である。
【図２１】前記タッチパネルディスプレイに停止状態解除画面が表示された状態を示す説明図である。
【図２２】前記タッチパネルディスプレイにトラブル解消のためのガイダンス画面が表示された状態を示す説明図である。
【図２３】トラブル解消したときのガイダンス画面の表示状態を示す説明図である。
【図２４】前記タッチパネルディスプレイの原稿読取りが再開されたときの表示画面を示す説明図である。
【図２５】前記タッチパネルディスプレイにおける原稿読取りが再開されたときのプレビュー領域の表示状態を示す説明図である。
【図２６】原稿読取りが再開されて原稿読取部により３枚目の原稿を読取り始めたときの前記プレビュー領域における３枚目の画像の表示状態を示す説明図である。
【図２７】前記原稿読取部による３枚目の原稿の読取りが終了したときの前記プレビュー領域における３枚目の画像の表示状態を示す説明図である。
【図２８】前記原稿読取部による４枚目の原稿の読取りが開始されたときの前記プレビュー領域における４枚目の画像の表示状態を示す説明図である。
【図２９】前記原稿読取部による４枚目の原稿の読取りが終了したときの前記プレビュー領域における４枚目の原稿の画像の表示状態を示す説明図である。
【図３０】前記原稿読取部による最終原稿の読取りが終了したのちに前記プレビュー領域に最終原稿の画像が表示された状態を示す説明図である。
【図３１】前記画像形成装置において全ての原稿のスキャンインによる事前読込が完了後の前記タッチパネルディスプレイの表示状態を示す説明図である。
【図３２】従来の画像形成装置における画像データの入力処理が行なわれるときの動作フローの一例を示すフローチャートである。
【図３３】従来の画像形成装置における画像データの入力処理が行なわれるときの読取り終了の可否を判断する処理の一例を示すフローチャートである。
【発明を実施するための形態】
【００２５】
以下、本発明の実施形態について図面を参照して説明する。
図１は発明を実施する形態の一例であって、本発明の実施形態に係る画像形成装置の全体の構成を示す説明図、図２は前記画像形成装置の内部構成を簡略化して示す説明図、図３は前記画像形成装置のハードウェア構成を示す機能ブロック図、図４は前記画像形成装置のタッチパネルディスプレイのプレビュー領域を示す説明図、図５は前記タッチパネルディスプレイに表示される画面例を示す説明図、図６は前記タッチパネルディスプレイに表示されるプレビュー領域を変更した状態を示す説明図である。
【００２６】
本発明の実施形態は、図１に示すように、画像データを入力する原稿読取部（入力手段）１０２と、原稿読取部１０２により入力された画像データに基づいて記録媒体上に画像を形成する画像形成部１０４と、画像データに基づいてプレビュー画像を表示する表示パネル（表示手段）１３２と原稿読取部１０２から入力される画像データの入力状況を表示パネル１３２上で案内表示する操作ユニット側制御部（表示制御手段）１３１（図９を参照）とを具備する操作ユニット（画像表示操作装置）１２０とを備える画像形成装置１００において、画像データの入力中に画像データの入力が途中停止した場合に対応して、操作ユニット側制御部１３１の構成として、本発明に係る画像形成装置の構成を採用したものである。
【００２７】
表示パネル１３２に表示される複数原稿画像は、画像形成装置１００の原稿読取部などから取り込まれた原稿画像の形態をプレビュー表示するものであり、且つ、画像形成部から記録用紙上に形成される画像の出力形態を仕上がりプレビュー画像として表示するものである。
【００２８】
本実施形態に係る画像形成装置１００は、画像処理装置の１種である画像形成装置である。本発明に係る画像表示操作装置の適用は、このような画像形成装置以外の画像処理装置または電子機器であっても構わない。
【００２９】
また、本実施形態に係る画像形成装置１００は、複数の動作モードを備え、その動作モードが切り換えられて表示機器の画面が切り換えられた場合において、ユーザが画面構成を覚えていなくても、ユーザが求める情報をユーザが容易に取得することができるように、情報を表示する表示機器を備えた装置であればよい。
【００３０】
なお、本実施形態に係る画像形成装置１００は、ジェスチャー操作方法とジェスチャー操作によらないタッチ操作方法とにより操作が可能なタッチパネルディスプレイ（操作画面）を備えるとするが、タッチ操作のみが可能なタッチパネルディスプレイを備える装置であってもよく、さらには、操作が不可能な表示のみ可能な表示パネルおよび操作用のボタンを備える装置であってもよい。
【００３１】
この画像形成装置１００は、電子写真方式により記録用紙に画像を形成する。
また、画像形成装置１００は、動作モードとして、コピーモード、ファクシミリモード（ＦＡＸモード）、ドキュメントファイリングモード（スキャンした画像を画像形成装置内部の記憶装置に記憶するモード）およびメールモード（スキャンした画像を電子メールに添付する形式で送信するモード）を備える。なお、この画像形成装置１００は、さらにネットワークプリンタモードを備えていても構わない。
【００３２】
また、本発明はこれに限定されず、動作モード毎に画面が切り換わる画像形成装置であれば構わない。また、印刷方式は電子写真方式に限定されない。
【００３３】
まず、本発明の実施形態に係る画像形成装置１００について説明する。
本実施形態に係る画像形成装置１００は、図１に示すように、原稿読取部１０２、画像形成部１０４、給紙部１０６、排紙処理装置１０８、および、操作ユニット１２０を備える。
操作ユニット１２０は、タッチパネルディスプレイ１３０と表示操作部１４０とで構成される。タッチパネルディスプレイ１３０は、液晶パネル等で構成された表示パネル１３２と、表示パネル１３２に重ねて配置されたユーザの指で押圧された位置を検出するタッチパネル（タッチ操作認識手段）１３４とで構成される。表示操作部１４０は、表示灯１４２と、電源キー１４４と、省エネルギーキー（以下「省エネキー」と記載）１４６と、動作モードを選択するホーム画面ヘタッチパネルディスプレイ１３０の表示画面を戻すためのホームキー１４８とで構成される。
【００３４】
このように画像形成装置１００は、主たる操作デバイスとしてタッチパネルディスプレイ１３０を備えるとともに、ハードウェアキーおよび表示灯により構成される表示操作部１４０を備える。表示操作部１４０のキー（電源キー１４４、省エネキー１４６、ホームキー１４８）は、タッチパネルディスプレイ１３０により構成されるソフトウェアボタンと対比して、ハードウェアボタンとして構成される点が特徴である。
【００３５】
なお、画像形成装置１００は、このような構成の表示操作部１４０を備えるものに限定されず、タッチパネルディスプレイ１３０のみを備えるものであってもよい。タッチパネルディスプレイ１３０に表示されたホーム画面においてユーザが動作モードを選択すると、選択された動作モードにおける初期画面に切り換わるものであれば構わない。このような画像形成装置１００の動作モードについて説明する。
【００３６】
（コピーモード）
以下において、画像形成装置１００のコピーモードでの動作について説明する。
このコピーモードにおいては、主として、原稿読取部（以下、「スキャナ部」と称する。）１０２および画像形成部１０４が動作する。
【００３７】
画像形成装置１００においては、原稿載置台に置かれた原稿が原稿読取部１０２により画像データとして読み取られ、読み取られた画像データが図３に示すマイクロコンピュータ等から構成されるＣＰＵ３００に入力され、ここで画像データに各種の画像処理が施され、この画像データが画像形成部１０４へと出力される。
【００３８】
画像形成部１０４は、図２に示すように、画像データによって示される原稿の画像を記録媒体（多くの場合、記録用紙）に印刷するものであって、感光体ドラム２２２、帯電装置２２４、レーザスキャンユニット（以下、「ＬＳＵ」と称する。）２２６、現像装置２２８、転写装置２３０、クリーニング装置２３２、定着装置２３４、および図示しない除電装置等を備えている。
【００３９】
画像形成部１０４には、主搬送路２３６および反転搬送路２３８が設けられており、給紙部１０６から給紙されてきた記録用紙が主搬送路２３６に沿って搬送される。給紙部１０６は、用紙カセット２４０に収納された記録用紙、または手差トレイ２４２に載置された記録用紙を１枚ずつ引出して記録用紙を画像形成部１０４の主搬送路２３６へと送り出す。
【００４０】
画像形成部１０４の主搬送路２３６に沿って記録用紙が搬送されている途中で、記録用紙が感光体ドラム２２２と転写装置２３０との間を通過し、さらに定着装置２３４を通過して、記録用紙に対する印刷が行なわれる。
【００４１】
感光体ドラム２２２は、一方向に回転し、その表面は、クリーニング装置２３２と除電装置によりクリーニングされた後、帯電装置２２４により均一に帯電される。
【００４２】
ＬＳＵ２２６は、印刷対象の画像データに基づいてレーザ光を変調し、このレーザ光によって感光体ドラム２２２の表面を主走査方向に繰返し走査して、静電潜像を感光体ドラム２２２の表面に形成する。
【００４３】
現像装置２２８は、トナーを感光体ドラム２２２の表面に供給して静電潜像を現像し、トナー像を感光体ドラム２２２の表面に形成する。
【００４４】
転写装置２３０は、当該転写装置２３０と感光体ドラム２２２との間を通過していく記録用紙に感光体ドラム２２２の表面のトナー像を転写する。
【００４５】
定着装置２３４は、記録用紙を加熱するための加熱ローラ２４８と、記録用紙を加圧するための加圧ローラ２５０とを含む。記録用紙は、加熱ローラ２４８によって加熱され、かつ、加圧ローラ２５０によって加圧されることによって、記録用紙上に転写されたトナー像が記録用紙に定着される。この定着装置２３４へ供給される電力によりヒータを温めて加熱ローラ２４８の温度が定着に適した温度になるように制御されている。なお、省エネモードに移行すると、例えば、このヒータへ供給される電力が停止されたり削減されたりする。
【００４６】
主搬送路２３６と反転搬送路２３８との接続位置には、分岐爪２４４が配設されている。記録用紙の片面のみに印刷が行なわれる場合は、分岐爪２４４が位置決めされ、この分岐爪２４４により定着装置２３４からの記録用紙が排紙トレイ２４６または排紙処理装置１０８の方へと導かれる。
【００４７】
記録用紙の両面に印刷が行なわれる場合は、分岐爪２４４が所定方向に回動されて記録用紙が一旦排紙トレイ２４６側へ導かれた後、スイッチバック搬送されて反転搬送路２３８の方へと導かれる。記録用紙は、反転搬送路２３８を通過して、その表裏を反転されて主搬送路２３６へと再び搬送され、主搬送路２３６の再度の搬送途中で、その裏面への印刷が行なわれて排紙トレイ２４６または排紙処理装置１０８の方へと導かれる。
【００４８】
上述のようにして印刷された記録用紙は、排紙トレイ２４６または排紙処理装置１０８の方へと導かれて排紙トレイ２４６に排出され、または排紙処理装置１０８の各排紙トレイ１１０のいずれかに排出される。
【００４９】
排紙処理装置１０８では、複数の記録用紙を各排紙トレイ１１０に仕分けして排出する処理、各記録用紙にパンチングする処理、および各記録用紙にステープルする処理を施す。例えば、複数部の印刷物を作成する場合は、各排紙トレイ１１０に印刷物の一部ずつが割り当てられるように、各記録用紙を各排紙トレイ１１０に仕分けして排出し、排紙トレイ１１０毎に、排紙トレイ１１０上の各記録用紙に対しパンチングユニット１１１によるパンチング処理またはステープルユニット１１２によるステープル処理を施して印刷物を作成する。
【００５０】
（ファクシミリモード）
以下において、ファクシミリモードでの動作について説明する。
このファクシミリモードにおいては、図３に示すように、主として、送信動作は原稿読取部（スキャナ部）１０２およびＦＡＸ通信部１６０が動作することにより、受信動作はＦＡＸ通信部１６０および画像形成部１０４が動作する。
【００５１】
（送信動作）
画像形成装置１００においては、ファクシミリモードを指定して、原稿載置台に置かれた原稿が原稿読取部１０２により画像データとして読み取られ、読み取られた画像データが図３に示すマイクロコンピュータ等から構成されるＣＰＵ３００に入力され、ここで画像データに各種の画像処理が施され、この画像データがＦＡＸ通信部（図３のＦＡＸ通信部１６０）へと出力される。
【００５２】
図３に示すように、送信側の画像形成装置１００のＦＡＸ通信部１６０は、指定された送信側の回線を指定された送信先に接続して、画像データをファクシミリ通信規格に合致した通信データへ変換して、受信側のファクシミリ装置（例えばファクシミリ機能を備えた画像形成装置１００）へ送信する。
【００５３】
（通信動作）
回線が接続されると、受信側の画像形成装置１００のＦＡＸ通信部１６０は、送信側の画像形成装置１００のＦＡＸ通信部１６０からの通信要求信号を検出して、応答信号を送信する。その後、例えば、ＦＡＸ通信部１６０は、送信側および受信側で互いに実装されている能力情報の受渡しを行ない、利用可能な最大能力での通信速度および画像データの符号化・符号訂正方式などを決定してモデムの通信方式を設定する。この通信方式にあわせた画像信号静式を用いて、送信側の画像形成装置１００のＦＡＸ通信部１６０から受信側の画像形成装置１００のＦＡＸ通信部１６０ヘデータを送信する。送信が終了すると回線が切断される。
【００５４】
（受信動作）
受信側の画像形成装置１００のＦＡＸ通信部１６０は、受信したデータを画像データに変換して、画像形成部１０４へ送る。なお、受信したデータを画像データへ変換するのは画像形成部１０４であっても構わない。画像形成部１０４は、上述したコピーモードにおける動作と同じように、受信したデータから変換された画像データによって示される原稿の画像を記録用紙に印刷する。
【００５５】
次に、画像形成装置１００の制御ブロック構成について図面を参照して説明する。
図３に示すように、画像形成装置１００は、さらに、コピーモード、ファクシミリモードとして装置が搭載する機能の設定が可能な操作ユニット１２０と、プログラム等を記憶するためのＲＯＭ３０６と、通電が遮断された場合であってもプログラムおよびデータ等を記憶可能な不揮発性記憶領域であるハードディスク３０２と、プログラムを実行する際の記憶領域を提供するためのＲＡＭ（Ｒａｎｄｏｍ  Ａｃｃｅｓｓ  Ｍｅｍｏｒｙ）３０８とを含む。
【００５６】
画像形成装置１００は、さらに、原稿読取部１０２、画像形成部１０４、ＦＡＸ通信部１６０、操作ユニット１２０、ＲＯＭ３０６、ハードディスク３０２、およびＲＡＭ３０８に接続されるパス３１０と、パス３１０に接続された、画像形成装置としての一般的機能を実現するためのＣＰＵ３００とを含む。
【００５７】
ハードディスク３０２には、この画像形成装置１００でスキャンした原稿の画像データのファイルが記憶される。また、ハードディスク３０２には、各動作モードの初期画面データが記憶されている。（ハードディスク３０２でなくてもＲＯＭ３０６に記憶させておくことも可能）
【００５８】
ＲＯＭ３０６には、画像形成装置１００の動作を制御するのに必要なプログラムおよびデータ等が記憶されている。このＲＯＭ３０６にプログラムとともに記憶するデータとして、各動作モードの初期画面データを記憶するようにしても構わない。ＣＰＵ３００は、ＲＯＭ３０６に格納されているプログラムおよびデータに従って画像形成装置１００の制御を行なうとともに画像形成装置１００の各機能に関する制御を実行する。
【００５９】
図３に示すように、この画像形成装置１００のＦＡＸ通信部１６０には、画像データの送受信用に公衆回線が接続され、ネットワークインターフェイス３０４には、ネットワーク回線が接続されている。このネットワーク回線には、この画像形成装置１００をネットワーク対応のプリンタとして使用するコンピュータ等が接続されたり、インターネットを介して指定されたＵＲＬ（Ｕｎｉｆｏｒｍ  Ｒｅｓｏｕｒｃｅ  Ｌｏｃａｔｏｒ）により特定されるコンピュータ等が接続されたりする。このようにインターネットに接続されると、画像形成装置１００は、インターネットを介して、必要な情報を取得することができる。
【００６０】
ＲＡＭ３０８は、ＣＰＵ３００による演算および処理の結果を一時的に記憶するワーキングメモリとしての機能と、画像データを記憶するフレームメモリとしての機能とを提供する。
【００６１】
原稿読取部１０２、画像形成部１０４、操作ユニット１２０を構成するタッチパネルディスプレイ１３０および表示操作部１４０、ならびにＲＯＭ３０６、ハードディスク３０２、およびＲＡＭ３０８に対する制御は、ＣＰＵ３００が所定のプログラムを実行することにより行なわれる。なお、操作ユニット１２０は、入出力インターフェイスを介してＣＰＵ３００と通信する。
【００６２】
操作ユニット１２０は、ユーザが目視しやすいように傾斜して設けられた板状のパネルで構成される。操作ユニット１２０の表面には、その左側の領域にタッチパネルディスプレイ１３０が、右側の領域に表示操作部１４０（表示灯１４２ならびにハードウェアボタンである電源キー１４４、省エネキー１４６およびホームキー１４８）が、備えられている。タッチパネルディスプレイ１３０および表示操作部１４０は、操作ユニット１２０が全体として一体となるように構成されている。
【００６３】
上述したように、このタッチパネルディスプレイ１３０は、表示パネル１３２と、表示パネル１３２に重ねて配置されたタッチパネル１３４とで構成される。
【００６４】
このタッチパネルディスプレイ１３０においては、表示パネル１３２に、この画像形成装置１００における動作モードを選択するホーム画面、この画像形成装置１００の現在の状態、宛先指定状況、ジョブの処理状況等が表示される。表示パネル１３２のプレビュー領域上にはソフトウェアボタンである選択ボタンが表示され、この選択ボタンの表示されている領域を指で押すと、タッチパネル１３４がその押された位置を検出する。プログラム上で、選択ボタンの表示位置とタッチパネル１３４が押された位置とを照合することにより、画像形成装置１００の動作モード選択、機能設定および動作指示等が行なわれる。この画像形成装置１００はこのようなタッチ操作（ユーザによる押圧位置に基づくコマンド入力操作）に加えて、上述したジェスチャー操作（ユーザによる操作軌跡に基づくコマンド入力操作）にも対応している。
【００６５】
また、表示操作部１４０の表示灯１４２は、例えばＬＥＤ（Ｌｉｇｈｔ  Ｅｍｉｔｔｉｎｇ  Ｄｉｏｄｅ）で構成され、ＣＰＵ３００により点灯／消灯（／点滅）が制御される。主電源スイッチとは別に設けられた電源キー１４４をユーザが押下すると、この画像形成装置１００が待機モード（例えば主電源がオンの状態でＦＡＸ受信動作のみ可能）から通常モードへ移行して、この画像形成装置１００の全ての動作モードが使用できるようになる。この状態に連動して表示灯１４２が点灯する。さらに、ユーザが操作しない時間が予め定められた時間を経過したり、省エネキー１４６をユーザが押下したりすると、この画像形成装置１００が通常モードから省エネモードへ移行して、この画像形成装置１００の一部の動作モードしか使用できないようになる。この状態に連動して表示灯１４２が点滅する。さらに、この省エネモードのときに、省エネキー１４６をユーザが押下すると、この画像形成装置１００が省エネモードから通常モードへ移行する。ホームキー１４８は、タッチパネルディスプレイ１３０の表示を初期状態（ホーム画面）へ戻すためのハードウェアキーである。なお、電源キー１４４、省エネキー１４６およびホームキー１４８を押下したときの処理はこれらに限定されるものではない。
【００６６】
なお、表示操作部１４０のハードウェアボタン（電源キー１４４、省エネキー１４６およびホームキー１４８）には、ＣＰＵ３００により点灯／消灯（／点滅）が制御されるキーランプを埋め込むようにしても構わない。例えば、このキーランプは、円型のキーの５周囲をリング状に光らせたり、キーの中央部を光らせたりする。操作デバイスとしてハードウェアボタンを使用することが許可されているタイミングで（ハードウェアボタンを使用すると処理が実行されるタイミングで）、このキーランプが点灯する。
【００６７】
本実施形態に係る画像形成装置１００においては、上述した２つの動作モード（コピーモード、ファクスモード）を備える。タッチパネルディスプレイ１３０には、それぞれの動作モードにおける機能設定用のソフトウェアボタンと、必要に応じて、画像形成イメージであるプレビューまたは宛先設定用のボタン等が表示される。
【００６８】
動作モードが違う場合には、タッチパネルディスプレイ１３０は、異なる画面が表示される。このような場合であっても、ユーザが要求する情報を容易に見つけることのできるように、タッチパネルディスプレイ１３０は複数の領域に分割されて（かつその領域の大きさを可変として）、各領域に情報を表示するという本発明の本質的部分を備える。特にこの画像形成装置１００においては、主たる表示操作デバイスとして設けられたタッチパネルディスプレイ１３０のホーム画面において動作モードを選択すると、各動作モードの初期画面が表示される。
【００６９】
この初期画面において、（１）基本レイアウトが５つの領域（「システム領域」、「機能選択領域」、「プレビュー領域」、「アクションパネル領域」、「タスクトリガー領域」）に分割されて適切に配置されているので、左上から右下へユーザが操作することにより（このような大型のタッチパネルディスプレイ１３０を備えない従来機と同じようなユーザの視点の動線および指先の動線が実現されるために）容易に設定が可能で、（２）異なる動作モードであっても５つの領域のそれぞれに表示される概念は同じものであって、動作モードが異なってもユーザが混乱することなく操作が可能である。
以下に、このような基本レイアウトの構成について説明する。
【００７０】
まず、画像形成装置１００のタッチパネルディスプレイ１３０における基本レイアウトについて図面を参照して説明する。
タッチパネルディスプレイ１３０の基本レイアウトは、図４に示すように、横長のタッチパネルディスプレイ１３０において（例えば、横１０２４ピクセル×縦６００ピクセル）、最上部に配置されたシステム領域１０００、画面中央部に配置されたプレビュー領域（プレビュー領域）３０００、プレビュー領域３０００の左側に配置された機能設定／確認領域２０００（以下、機能選択領域２０００と記載する）、プレビュー領域３０００の右上部に配置されたアクションパネル領域（情報表示領域）４０００、および、プレビュー領域３０００の右下部に配置されたタスクトリガー領域（操作キー表示領域）５０００で構成される。
【００７１】
なお、タッチパネルディスプレイ１３０における領域の数は５つに限定されるものではなく、左右の並びもこれに限定されず、例えば、ユーザの利き手に応じて領域の左右の配置を逆にしても構わない。また、システム領域１０００の位置は最下部であっても構わない。また、状態もしくは設定によっては表示されなくても構わない。
【００７２】
システム領域１０００には、この画像形成装置１００の現時点での状態が表示され、操作中の動作モードのタイトル、画像形成装置１００の状況・状態が表示される。例えば、システム領域１０００には、動作モード名、割り込みキー、ログインユーザ名、処理中のジョブ状況、内蔵メモリ使用状態、時刻等が表示される。
【００７３】
機能選択領域２０００には、各機能の設定、表示の切り換え、設定の確認のためにユーザにより操作される機能選択メニュー（アイコン、ボタン等）が、アイコンモード、レギュラーモードおよびエキスプレスモードで表示態様を変更して、表示される。アイコンモードにおいては、プレビュー領域３０００が最も広くなるように機能選択領域２０００には機能設定用のアイコンのみが表示される。エキスプレスモードにおいては、プレビュー領域３０００が最も狭くなっても機能選択領域２０００には機能を一度に設定できる画面が大きく表示される。レギュラーモードにおいては、プレビュー領域３０００の大きさはアイコンモードとエキスプレスモードとの中間の大きさであって、機能選択領域２０００には機能設定のアイコンとともに機能名称がテキスト表示される。
【００７４】
これらのアイコンモード、レギュラーモードおよびエキスプレスモードの切り換えはユーザの操作に基づく。すなわち、プレビュー領域３０００の大きさが、ユーザの操作に応じて変更して表示される。このように、アイコンは、小さい領域でユーザへの情報を伝達することができるので、全ての機能に対して準備しておいて、プレビュー領域３０００が大きく表示できることが好ましい。
【００７５】
この機能選択領域２０００には、その下部に機能選択領域２０００の表示スタイルを変更する変更ボタン群２０１０を備える。変更ボタン群２０１０には、アイコンモードで機能選択領域２０００を表示するアイコンモード移行ボタン２０１２、「お気に入り」登録した機能を表示させるお気に入りボタン２０１４、設定が変更された機能を表示させるチェックボタン２０１６、選択されている動作モードにおいて設定可能な全ての機能の一覧を表示するリストボタン２０１８、レギュラーモードで機能選択領域２０００を表示するレギュラーモード移行ボタン２０２０、および、エキスプレスモードで機能選択領域２０００を表示するエキスプレスモード移行ボタン２０２２が配置されている。
【００７６】
なお、機能選択領域２０００に表示される情報が多い場合には、この機能選択領域２０００において上下方向に移動可能に情報が表示される。この場合において、この変更ボタン群２０１０は移動されないで、機能選択領域２０００の最下部に常に表示される。
【００７７】
プレビュー領域３０００には、原稿の出力（仕上がり）イメージが表示される。ダミーデータまたはスキャンデータを用いてイメージ表示し、ユーザが仕上がりを変更する毎にプレビュー領域３０００に表示されているイメージが変更される。このプレビュー領域３０００においては、スキャン前のバーチヤルモードでのダミーイメージでの仕上がり表示、スキャン後のスキャンインモードでの実イメージでの仕上がり表示の２つのモードを有し、さらにバーチヤルモードには、原稿セット前および原稿セット後の２種類がある。
【００７８】
このプレビュー領域３０００には、その下部にプレビュー領域３０００の表示スタイルを変更するプレビュー変更ボタン群３０１０を備える。プレビュー変更ボタン群３０１０には、プレビューを左に９０度回転させる左回転ボタン３０１６、プレビューを右に９０度回転させる右回転ボタン３０１８、ズームバー３０２０が配置されている。これら以外にも、例えばカラー変更ボタン３０１２およびプレビュー操作ボタン３０１４が配置されている。
【００７９】
ここで、左回転ボタン３０１６を１回タッチ操作するとプレビューが左に９０度回転されて、２回タッチ操作するとプレビューが左に１８０度回転される（上下反転）。また、プレビュー領域に表示された仕上がり原稿イメージをジェスチャー操作しても（指先で原稿イメージを反時計回転方向に１８０度回転させても）、プレビューが左に１８０度回転されて上下反転される。
【００８０】
右回転ボタン３０１８を１回タッチ操作するとプレビューが右に９０度回転されて、２回タッチ操作するとプレビューが右に１８０度回転される（上下反転）。また、プレビュー領域に表示された仕上がり原稿イメージをジェスチャー操作しても（指先で原稿イメージを時計回転方向に１８０度回転させても）、プレビューが右に１８０度回転されて上下反転される。
【００８１】
ズームバー３０２０のプラスボタン３０２０Ａをタッチ操作したり、バ−３０２０Ｃをプラスボタン３０２０Ａ側へジェスチャー操作（ドラッグまたはスライド）したりすると、プレビューが拡大して表示される。また、プレビュー領域に表示された仕上がり原稿イメージをジェスチャー操作しても（指先で原稿イメージをピンチアウト／ピンチオープンさせても）、プレビューが拡大して表示される。
【００８２】
ズームバー３０２０のマイナスボタン３０２０Ｂをタッチ操作したり、バ−３０２０Ｃをマイナスボタン３０２０Ｂ側ヘジェスチャー操作（ドラッグまたはスライド）したりすると、プレビューが縮小して表示される。また、プレビュー領域に表示された仕上がり原稿イメージをジェスチャー操作しても（指先で原稿イメージをピンチイン／ピンチクローズさせても）、プレビューが縮小して表示される。
【００８３】
なお、プレビュー領域３０００に表示される原稿イメージのページ数が多い場合には、タッチ操作可能な表示ページ選択ボタン（ページ番号入力ボタン、ページ送りボタン、ページ戻しボタン、単ページ表示ボタン、複数ページ表示ボタン等）を表示するようにしても構わない。なお、原稿イメージをスライドタッチ（フリック操作）してもプレビューされる原稿のページ送り、ページ戻しを行なうことができる。また、プレビュー領域３０００に表示される原稿イメージが大きい場合には、タッチ操作またはジェスチャー操作可能なスクロールバーを表示するようにしても構わない。
【００８４】
アクションパネル領域４０００には、操作についての補助・助言・提案についての情報が表示される。このアクションパネル領域４０００には、例えば、あるユーザが特定の機能を選択すると、その機能に関連する機能を表示したり、目的指向でその機能についての他の機能を表示したり、このユーザまたはこのユーザが所属するグループのユーザが過去に組み合わせて選択した機能を「おすすめ機能」として表示したりする。
【００８５】
タスクトリガー領域５０００には、その動作モードにおける全ての設定が完了して、この画像形成装置１００を実際に動作させるためにユーザにより操作されるトリガー一項目が表示される。例えば、処理を開始させるためのスタートボタン（ソフトウェアボタン）である。なお、印字を伴う動作モード（ファクス送信以外）において、消耗品切れについての情報も、タスクの実行不可に関連するので、この「タスクトリガー領域」に表示される。
【００８６】
この場合において、スタートボタンが押下できる状態の場合にのみ、スタートボタンを表示することも好ましい。スタートボタンが押下できる状態とは、印字を伴う動作モードの場合には、全ての設定が終了してかつ消耗品（記録用紙およびトナー）切れでない状態であって、印字を伴わない動作モードであるファクスモード（送信）の場合には、宛先を含む全ての送信パラメータの設定が終了した状態である。
【００８７】
これらの５領域は、動作モードが変更されても（どの動作モードの初期画面においても、その配置された位置は変更されない。また、機能選択領域２０００（およびプレビュー領域３０００）におけるアイコンモード／レギュラーモード／エキスプレスモードの切り換え表示のように、領域はタッチパネルディスプレイ１３０の画面横方向（長手方向）に伸縮してサイズが変化する。
【００８８】
このような５領域の配置は、従来機におけるユーザインターフェイスをも考慮しつつ、ユーザの視点の動線および操作の動線に着目して配置されている。このような配置により、タッチパネルディスプレイ１３０において、左上から右下へユーザの視線が動いて、左上から右下へユーザの操作（利き手の指先）が動く。
【００８９】
なお、ある動作モードから他の動作モードへ遷移するためには、ホームキー１４８を押下して、ホーム画面において他の動作モードを選択する。このように、ホーム画面を経由して、動作モードが切り換えられる。
【００９０】
（コピーモードの初期画面表示動作）
コピーモードが選択されると、ハードディスク３０２等から読出したコピー初期画面データを用いてタッチパネルディスプレイ１３０にコピーモードの初期画面が表示される。
このとき、例えば、タッチパネルディスプレイ１３０には、図５に示すように、コピーモード初期画面７１００が表示される。コピーモード初期画面７１００は、上述したレイアウト構成の５領域に分割されて情報が表示される。
【００９１】
コピーモード初期画面７１００のシステム領域１０００には、図５に示すように、選択されている動作モード（ここではコピーモード）を示すエリア１１０２、選択された動作モードに付随するサブ情報を表示するエリア１１０４、ログインユーザ名を表示するエリア１１０６、ログアウトボタン（ソフトウェアボタン）が表示されるエリア１１０８、現在実行中のジョブ状況を表示するエリア１１１０、ジョブ状況に関係するボタン（ソフトウェアボタン）が表示されるエリア１１１２、通信状態が表示されるエリア１１１４、現在時刻が表示されるエリア１１１６が配置されている。
【００９２】
エリア１１０２には、動作モードを示す名称または／およびアイコンが表示される。
このエリア１１０２をタッチ操作、タップ操作またはダブルタップ操作すると、動作モードを示すメニューがプルダウン表示されて動作モードを切り換えることができるようにすることも好ましい（他の動作モードにおいても同じ）。
【００９３】
エリア１１０４には、サブ情報として、割り込みキー（ソフトウェアボタン）が表示される。この割り込みキーをタッチ操作、タップ操作またはダブルタップ操作すると、コピーモードにおいて割り込み処理を実行することができる。
【００９４】
エリア１１１２には、現在実行中のジョブ状況がアイコンで表示される。このジョブ状況をタッチ操作、タップ操作またはダブルタップ操作すると、詳細なジョブ状況情報が表示される。さらに、エリア１１１２には、選択されたジョブを停止させるボタン等を表示することも好ましい。
【００９５】
コピーモード初期画面７１００の機能選択領域２０００には、コピーモードにおいてユーザが選択できる機能選択メニュー２１００および上述した変更ボタン群２０１０が表示されている。図５に示す画面では、レギュラーモードで機能選択メニューが表示されている。
【００９６】
図５に示すように、レギュラーモードで表示される機能選択メニューは、アイコン群２１００とテキスト群２１２０とで構成される。この機能選択領域２０００に表示される機能選択メニューとして、コピー一部数を設定するアイコン２１０２および設定された内容を表示するテキス卜２１２２、カラーモードを設定するアイコン２１０４および設定された内容を表示するテキスト２１２４、コピー濃度を設定するアイコン２１０６および設定された内容を表示するテキスト２１２６、コピー倍率を設定するアイコン２１０８および設定された内容を表示するテキスト２１２８、原稿の種類を設定するアイコン２１１０および設定された内容を表示するテキスト２１３０、用紙の種類を設定するアイコン２１１２および設定された内容を表示するテキスト２１３２、画像を編集するアイコン２１１４および設定された内容を表示するテキスト２１３４、レイアウトを編集するアイコン２１１６および設定された内容を表示するテキスト２１３６が表示されている。
【００９７】
なお、上述したように、これらの機能設定メニューにおけるさらなる項目は、変更ボタン群２０１０の表示位置を固定した状態で、上下方向にスクロール可能に表示することができる。そして、上下方向に隠れて表示されていない項目を含めて機能設定メニューの表示項目を切り換えることは、タッチ操作（スクロール操作）でもジェスチャー操作（上下方向へフリック操作）のいずれの操作でも可能である。
【００９８】
ここで、画像編集とは、１ページの原稿に対する画像編集であって、さらに下位の階層メニューとして、枠消去、印字メニュー、ウォータマーク、ユーザスタンプ等があり、レイアウト編集とは、複数ページの原稿に対する画像編集であって、さらに下位の階層メニューとして、ページ集約、綴じしろ、ページ移動、センタリング等がある。これらのさらなる下位メニューは、アイコン２１０２〜アイコン２１１６またはテキスト２１２２〜テキス卜２１３６をタッチ操作、タップ操作またはダブルタップ操作すると、タッチパネルディスプレイ１３０に表示される。
【００９９】
コピーモード初期画面７１００のプレビュー領域３０００には、原稿の出力（仕上がり）イメージ３１００および上述したプレビュー変更ボタン群３０１０が配置されている。このとき、ダミーデータまたはスキャンデータを用いてイメージ３１００が表示され、ユーザが機能選択領域２０００の機能設定メニューを変更する毎に、イメージ３１００が変更されてプレビュー領域３０００に表示される（プレビューの表示が変更）。
【０１００】
コピーモード初期画面７１００のアクションパネル領域４０００には、コピー操作についての補助・助言・提案についての情報が表示されている。ここでは、図５に示すように、このユーザが選択したコピーモードにおけるおすすめ機能が表示される。このとき、アクションパネル領域４０００は、表示されている情報の内容を示すエリア４１００、それ自体がソフトウェアボタンとしておすすめ機能をテキスト表示するエリア４１０２〜エリア４１０６が配置されている。
【０１０１】
エリア４１０２をタッチ操作、タップ操作またはダブルタップ操作すると、省エネコピーについてのさらに詳細な情報がプルダウン表示される。例えば、このとき、「両面印刷すると用紙を節約できます」というテキストとともに両面コピーの機能設定画面へ遷移するソフトウェアボタンと、「複数の原稿を集約して印刷すると用紙を節約できます」というテキストとともにページ集約の機能設定画面へ遷移するソフトウェアボタンと、「本のように綴じられるように印刷することができます」というテキストとともに中綴じの機能設定画面へ遷移するソフトウェアボタンとが、表示される。
【０１０２】
コピーモード初期画面７１００のタスクトリガー領域５０００には、実行ボタン群５１００が表示される。この実行ボタン群５１００として、原稿をスキャンして画像データを取得するように画像形成装置１００を作動させるスキャンインキー（ソフトウェアボタン）５１０２、設定した機能をクリアするクリアオールキー（ソフトウェアボタン）５１０４、原稿をスキャンしてモノクロコピーを実行するように画像形成装置１００を作動させるモノクロスタートキー（ソフトウェアボタン）５１０６、原稿をスキャンしてカラーコピーを実行するように画像形成装置１００を作動させる力ラースタートキー（ソフトウェアボタン）５１０８が配置されている。
【０１０３】
このように、５つの領域に分割して情報が表示されたコピーモード初期画面７１００において、ユーザが要求を入力すると、その要求に従ってコピー処理が実行される。
【０１０４】
次に、機能選択領域２０００をアイコンモードで表示してプレビュー領域３０００を広げた場合の、プレビューページの変更動作について説明する。
【０１０５】
図６に示すように、プレビューのイメージ３１１８が表示されている場合において、ユーザが、プレビュー表示された画面をユーザが左へフリックすると、入力軌跡が分析される。このとき、このユーザによるジェスチャー操作はページをめくる要求であると分析されて、フリックした方向に応じた表示されていない別のページを含むプレビューイメージが表示される。
【０１０６】
また、このようにプレビューイメージが表示されるページを移動させるには、ページ送りボタン３１１８Ｇ、ページ早送りボタン３１１８Ｈ、ページ戻しボタン３１１８Ｅ、ページ早戻しボタン３１１８Ｄをタッチ操作しでも可能である。さらに、ページ直接指定ボタン３１１８Ｆをタッチして直接移動させたいページを入力することにより、プレビューイメージが表示されるページを移動させることも可能である。
【０１０７】
このように、機能選択領域２０００がアイコンモードで表示されると、プレビュー領域３０００が広がり、図６に示すように、ユーザの視認性およびユーザの操作性が高まるように、プレビューイメージを表示することができる。特に、タッチ操作またはジェスチャー操作により、表示させたいプレビューイメージまで移動して、所望のプレビューを表示させることができる。
【０１０８】
なお、図６に示すごみ箱アイコン３１１８Ａは、選択したページをごみ箱アイコン３１１８Ａまでドラッグすることによりそのページを削除することができる。
【０１０９】
また、１ページ表示アイコン３１１８Ｂを押下することにより、例えば３ページ表示していたプレビューが１ページ表示になり（このとき１ページ分を大きく表示）、複数ページ表示アイコン３１１８Ｃを押下することにより、例えば、１ページ表示していたプレビューが３ページ表示になる。
【０１１０】
次に、本実施形態の画像形成装置１００における特徴的なタッチパネルディスプレイ１３０の画面表示について図面を参照して説明する。
図７は本実施形態の画像形成装置のタッチパネルディスプレイを構成する表示パネルの表示態様を示す説明図である。
【０１１１】
本実施形態の画像形成装置１００は、図７に示すように、タッチパネルディスプレイ１３０において、プレビュー領域３０００が画面中央部に配置され、そのプレビュー領域３０００の左側に機能選択領域２０００が配置される。また、プレビュー領域３０００の右上部にアクションパネル領域４０００が配置され、そのアクションパネル領域４０００の下部にタスクトリガー領域５０００が配置される。
【０１１２】
プレビュー領域３０００には、初期画面では仮想テンキー３００１と、装置全体をイメージするミミック表示３００２が表示されている。
【０１１３】
タスクトリガー領域５０００は、プレビュー領域３０００を拡大して表示されるときには、縮小化されることなく、プレビュー領域３０００の右下部に常に表示される。
【０１１４】
タスクトリガー領域５０００には、実行ボタン群５１００が表示される。
実行ボタン群５１００として、スキャンインキー５１０２、クリアオールキー５１０４、モノクロスタートキー５１０６、力ラースタートキー５１０８が配置されている。
【０１１５】
スキャンインキー５１０２は、スキャンインの指示により原稿をスキャンして画像データの取得が開始されると、装置の動作を中断する（読込を中止する）中断キーに変更して表示するようにしてもよい。
【０１１６】
次に、本実施形態の画像形成装置１００における操作ユニット１２０の特徴的な画面表示に係る電気的構成について図面を参照して説明する。
図８は本実施形態の画像形成装置における操作ユニットの電気的構成を示すブロック図、図９は前記操作ユニットを構成するタッチパネルディスプレイの構成を示すブロック図である。
【０１１７】
本実施形態に係る操作ユニット１２０は、図８に示すように、表示パネル１３２、タッチパネル１３４に加えて、操作位置検出手段１３５、画面表示手段１３６、表示画像生成手段１３７及び操作ユニット１２０における処理・動作を制御する操作ユニット側制御部（表示制御手段）１３１を備えている。
【０１１８】
画像形成装置１００は、画像データを入力する原稿読取部１０２、画像処理手段１０３、原稿読取部１０２から入力される画像データを蓄積する蓄積手段１０５、プリンタや送信部などの画像を出力する画像出力手段１０７を備えて、主制御部１０１により動作制御される。
【０１１９】
操作位置検出手段１３５は、タッチパネル１３４上で行なわれる操作位置を検出する。
画面表示手段１３６は、表示画像生成手段１３７により形成された画像を表示パネル１３２上に表示する。
【０１２０】
表示画像生成手段１３７は、画像形成装置１００本体に入力された画像データに基づき操作ユニット側制御部１３１からの指示により所定の画像を形成する。
【０１２１】
操作ユニット側制御部１３１は、画像形成装置１００本体の主制御部１０１に接続され、タッチパネルディスプレイ１３０における制御部として機能する。
【０１２２】
ここで、本実施形態の特徴的な操作ユニット側制御部１３１の構成について詳細に説明する。
操作ユニット側制御部１３１は、図９に示すように、表示パネル１３２に複数ページの原稿画像をプレビュー表示するプレビュー表示機能と、プレビュー表示された複数ページの原稿画像を移動表示する移動表示機能と、原稿読取部１０２から入力される画像データの入力状況を表示パネル１３２上に表示して案内する入力状況案内機能とを備えている。
【０１２３】
さらに、操作ユニット側制御部１３１は、特徴的な機能として、画像データの入力状況を案内するプレビュー表示を停止するプレビュー表示停止機能１３１１と、画像データの入力が停止されたことを報知する入力停止報知機能１３１２と、画像データの入力停止前に入力が完了した最終の画像データの表示画像を表示する最終画像表示機能１３１３と、画像データの入力停止状態を解除するための案内画面を表示する案内画面表示機能１３１４と、入力処理を再開する指示画面を表示する再開操作指示画面表示機能１３１５と、画像データの入力処理を再開する入力処理再開機能１３１６と、どの画像から入力再開が必要かを報知する再入力画像報知機能１３１７と、最初に入力された画像データの表示画像を表示する先頭画像表示機能１３１８とを備えている。
【０１２４】
プレビュー表示停止機能１３１１は、画像データの入力中に画像データの入力が途中停止した場合に、画像データの入力状況を案内するプレビュー表示を停止する機能である。
【０１２５】
入力停止報知機能１３１２は、画像データの入力中に画像データの入力が途中停止した場合に、画像データの入力が停止されたことを報知する機能である。
【０１２６】
最終画像表示機能１３１３は、画像データの入力中に画像データの入力が途中停止した場合に、画像データの入力停止前に入力が完了した最終の画像データの表示画像を表示する機能である。
【０１２７】
案内画面表示機能１３１４は、画像データの入力中に画像データの入力が途中停止した場合に、画像データの入力停止状態を解除するための案内画面を表示する機能である。
【０１２８】
再開操作指示画面表示機能１３１５は、画像データの入力停止状態が解除された後に、入力処理を再開する指示画面を表示する機能である。
【０１２９】
入力処理再開機能１３１６は、画像データの入力停止状態が解除された後に、入力処理を再開する指示があったときに、画像データの入力処理を再開する機能である。
【０１３０】
再入力画像報知機能１３１７は、画像データの入力停止状態が解除された後に、どの画像から入力再開が必要かを報知する機能である。
【０１３１】
先頭画像表示機能１３１８は、画像データの入力停止状態が解除された後に、画像データの入力処理を再開した場合には、最終画像データの入力状況が表示された後に、最初に入力された画像データの表示画像を表示する機能である。
【０１３２】
次に、本実施形態の画像形成装置１００において画像データの入力処理が行なわれるときの動作フローについて、フローチャートに沿って説明する。
図１０は本実施形態に係る画像形成装置において画像データの入力処理が行なわれるときの動作フローを示すフローチャートである。
【０１３３】
画像形成装置１００における原稿読取部１０２による画像データの入力処理（原稿読込み）は、図１０に示す動作フローに基づき行なわれる。
【０１３４】
画像形成装置１００において、原稿読取部１０２により原稿読込みを行なう場合は、図１０に示すように、まず、原稿読取部１０２に原稿をセットして、タッチパネルディスプレイ１３０上で画像入力条件の設定を行なう（ステップＳ１）。
そして、画像入力条件の設定が終了すると、原稿読込みの開始（入力開始）が指示されたか否かが判断される（ステップＳ２）。
【０１３５】
ステップＳ２において、原稿読込みの開始が指示されたと判断された場合は、原稿読取部１０２による原稿読込みが開始される（ステップＳ３）。
一方、ステップＳ２において、原稿読込みの開始が指示されていないと判断された場合は、ステップＳ１に戻り再び画像形成の条件設定を行なう。
【０１３６】
ステップＳ３で原稿読込みが開始されると、読込まれた原稿の画像データの入力が停止された状態か否かが判断される（ステップＳ４）。
【０１３７】
ステップＳ４において、画像データの入力が停止されていない状態であると判断された場合は、読込まれた原稿の画像データは蓄積手段１０５に記憶され（ステップＳ５）、その記憶された画像データに基づき表示画像生成手段１３７によりプレビュー表示される表示画像が生成される（ステップＳ６）。そして、プレビュー領域３０００に画像入力状況が展開されて（ステップＳ７）、表示画像がプレビュー表示される（ステップＳ８）。
【０１３８】
そして、次に読込まれる原稿があるか否かが判断される（ステップＳ９）。
ステップＳ９において、次に読込まれる原稿があると判断された場合は、ステップＳ３に戻り、再び原稿読込みが行なわれる。
【０１３９】
一方、ステップＳ９において、次に読込まれる原稿がないと判断された場合は、先頭画像表示機能１３１８により既に表示された先頭ページの表示画像がプレビュー領域３０００に表示されて入力完了の画面表示となり（ステップＳ１０）、原稿読取部１０２による原稿読込みは終了する。
【０１４０】
また、ステップＳ４において、画像データの入力が停止された状態であると判断された場合は、画像入力が中止され（ステップＳ１１）、プレビュー表示停止機能１３１１により画像入力状況を示すプレビュー画像の表示が中止されて（ステップＳ１２）、入力停止報知機能１３１２により入力停止を通知する画像（コメント等の文字情報を含む画像）がプレビュー領域３０００に表示される（ステップＳ１３）。
【０１４１】
そして、画像データの入力停止状態を解除するための停止状態解除画面（案内画面）に遷移され（ステップＳ１４）、停止状態解除画面を表示する指示がされたか否かが判断される（ステップＳ１５）。このとき、プレビュー領域３０００には、最終画像表示機能１３１３により画像データの入力停止前に入力が完了した最終の画像データの表示画像が表示される。
【０１４２】
ステップＳ１５において、停止状態解除画面を表示する指示がされたと判断された場合は、案内画面表示機能１３１４により停止状態解除画面が表示される（ステップＳ１６）。一方、ステップＳ１５において、停止状態解除画面を表示する指示がされていないと判断された場合は、ステップＳ１４に戻る。
【０１４３】
そして、停止状態解除画面が表示されると、停止状態を解除するか否かが判断される（ステップＳ１７）。ステップＳ１７において、停止状態を解除すると判断された場合は、再開操作指示画面表示機能１３１５により入力処理を再開する入力再開指示画面が表示される（ステップＳ１８）。一方、ステップＳ１７において、停止状態を解除しないと判断された場合は、ステップＳ１６に戻る。
【０１４４】
そして、入力再開指示画面が表示されると、入力再開が指示されたか否かが判断される（ステップＳ１９）。ステップＳ１９において、入力再開が指示されたと判断された場合は、入力処理再開機能１３１６によりステップＳ３に戻って画像入力が再開される。このとき、プレビュー領域３０００には、再入力画像報知機能１３１７によりどの画像から入力再開が必要かが報知される。
一方、ステップＳ１９において、入力再開が指示されないと判断された場合は、ステップＳ１０に戻って、入力完了の画面表示となり、原稿読取部１０２による原稿読込みは終了する。
【０１４５】
なお、画像データの入力が停止した理由によって、図１０中の２点鎖線で囲んだ部分の動作フローは変わる。例えば、ユーザが自らの意思によって入力を停止した場合は、下記のようになる。すなわち、
（１）スキャンイン再開／キャンセル／中止して出力処理の選択画面を表示する。
（２）再開指示の場合は、入力再開指示画面を表示する。
（３）キャンセル指示の場合は、オールクリア処理をして基本画面を表示する。
【０１４６】
次に、本実施形態の画像形成装置１００における原稿読取部１０２による入力処理において、画像データの入力中に画像データの入力が途中停止したときのタッチパネルディスプレイ１３０における表示案内ついて図面を参照して説明する。
図１１〜図３１は本実施形態の画像形成装置における原稿読取時のタッチパネルディスプレイ上に表示されるプレビュー画像の表示状態を示す説明図である。
【０１４７】
画像形成装置１００において、原稿読取部１０２によりコピー原稿を読み取る場合は、タッチパネルディスプレイ１３０に表示されたホーム画面においてユーザがコピーモードを選択して、図１１に示すように、スキャンインキー５１０２をタッチして原稿の読込みを開始する。
原稿は、例えば、原稿読取部１０２にＡ４横送りにセットされている。
【０１４８】
スキャンインキー５１０２により原稿の読み取りが指示されると、図１２に示すように、表示パネル１３２の画面上では、仮想テンキー３００１と、装置全体をイメージするミミック表示３００２が消去されてプレビュー領域３０００が空いた状態で表示される。
【０１４９】
機能選択領域２０００、アクションパネル領域４０００およびタスクトリガー領域５０００は表示されている。
【０１５０】
原稿が原稿読取部１０２に読み取られると、読み取られた１枚目の原稿の画像データから表示画像生成手段１３７により縮小された表示画像が生成されて、図１３に示すように、１枚目の画像Ｐ１がアクションパネル領域４０００の左側端から出現してプレビュー領域３０００ほぼ中央位置に向って左方向へ移動表示される。
【０１５１】
このとき、プレビュー領域３０００の上側部３０００ａ付近に、「スキャン中」などのコメントを表示するようにしてもよい。
【０１５２】
また、１枚目の画像Ｐ１がプレビュー領域３０００に出現するときには、アクションパネル領域４０００の背後から出現するように表示するようにしてもよい。この時、１枚目の画像Ｐ１のアクションパネル領域４０００の背後に位置する部分は、アクションパネル領域４０００を透過して画像の存在が解る程度に可視可能に表示するようにしてもよい。
【０１５３】
１枚目の画像Ｐ１は、原稿読取部１０２による読込み中は、図１４に示すように、そのまま左方向へ移動する。そして、原稿の読込みが完了すると、図１５に示すように、プレビュー領域３０００のほぼ中央位置で停止して表示される。
【０１５４】
次に、２枚目の原稿の読込みが開始されると、図１６に示すように、１枚目の画像Ｐ１は徐々に小さくなりながら薄くなって、やがて消去されていく。
２枚目の原稿が読込まれていくと、図１７に示すように、１枚目の画像Ｐ１が小さくなって消えていく間に、２枚目の画像Ｐ２がアクションパネル領域４０００の左側端からプレビュー領域３０００に出現する。そして、１枚目の画像Ｐ１が消去されたあとに、プレビュー領域３０００ほぼ中央位置に向って左方向へ移動表示される。そして、プレビュー領域３０００のほぼ中央位置で停止して表示される。
【０１５５】
そして、３枚目の原稿の読込みが終了すると、２枚目の原稿の画像Ｐ２は、図１８に示すように、プレビュー領域３０００ほぼ中央位置に表示されたのち、図１９に示すように、徐々に小さくなりながら薄くなって、消去される。
【０１５６】
このとき、画像データの入力処理においてトラブルが発生したと判断された場合、図２０に示すように、プレビュー表示停止機能１３１１により、画像データの入力状況を案内するプレビュー表示が停止されて、入力停止報知機能１３１２により、表示パネル１３２の画面上にトラブル発生を報知する画面が表示される。すなわち、このとき表示パネル１３２上に表示されているコピーモードの表示画面に重ねて入力停止を通知するコメントＧ１が表示される。
【０１５７】
入力停止を通知するコメントＧ１として、例えば、本実施形態では「・・・・（マシントラブル）が発生しました。スキャンイン処理を続行できませんので、停止します。」と表示されている。
【０１５８】
そして、案内画面表示機能１３１４により、画像データの入力停止状態を解除するための停止状態解除画面（案内画面）に遷移される。表示パネル１３２上には、図２１に示すように、最終画像表示機能１３１３によりトラブル発生直前に読込みが完了した２枚目の原稿の画像データに基づく２枚目の画像Ｐ２が表示されるとともに、コメントＧ２が表示される。さらに、トラブルを解消するためのトラブル解消画面へ遷移する表示切換えキー３０２０が表示される。
【０１５９】
コメントＧ２として、例えば、本実施形態では「このページまでスキャンインが完了しました。トラブル解消後、このページ以降の原稿をセットし直してスキャンイン処理を再開して下さい。」と表示されている。
【０１６０】
表示切換えキー３０２０をタッチ操作すると、図２２に示すように、再開操作指示画面表示機能１３１５により入力処理を再開するためのトラブル解消のガイダンス画面（入力再開指示画面）が表示される。ガイダンス画面には、トラブル箇所が指示された装置をイメージするミミック表示３００３と、操作をガイドするガイドキー３０１１，３０１２，３０１３が表示されている。ミミック表示３００３の近傍にはトラブル箇所を指示するコメントＧ３が表示されている。
【０１６１】
コメントＧ３として、例えば、本実施形態では「ここに紙が詰まっています。」と表示されている。
【０１６２】
そして、ガイドキー３０１１，３０１２，３０１３を順にタッチすることにより表示される操作ガイドに沿ってトラブル解消の処理を行なうことによりトラブルが解消されると、図２３に示すように、トラブルが解消した旨を通知するコメントＧ４が表示される。
【０１６３】
コメントＧ４として、例えば、本実施形態では「紙詰まりが解消しましたので、問題なくご使用になれます。」と表示されている。
【０１６４】
そして、ガイドキー３０１３をタッチすることで、入力処理再開機能１３１６により、図２４に示すように、スキャンイン再開指示画面が表示されて、引き続き画像データの入力処理が可能になる。そして、スキャンインキー５１０２をタッチして原稿の読込みを開始する。
【０１６５】
このとき、原稿読込みを行なう原稿は、図２１に指示されたように、表示パネル１３２に表示されたトラブル発生直前に読込みが完了した２枚目の原稿以降の原稿がセットされる。
【０１６６】
原稿の読み取りが指示されると、図２５に示すように、最初の原稿読取り開始時と同様に、表示パネル１３２の画面上では、仮想テンキー３００１と、ミミック表示３００２が消去されてプレビュー領域３０００が空いた状態で表示される。
【０１６７】
そして、トラブル処理後の３枚目の原稿が原稿読取部１０２に読み取られると、図２６に示すように、３枚目の画像Ｐ３がアクションパネル領域４０００の左側端から出現してプレビュー領域３０００ほぼ中央位置に向って左方向へ移動表示される。
【０１６８】
３枚目の画像Ｐ３は、原稿読取部１０２による読込みが完了すると、図２７に示すように、プレビュー領域３０００のほぼ中央位置で停止して表示される。
【０１６９】
次に、４枚目の原稿の読込まれていくと、図２８に示すように、３枚目の画像Ｐ３が小さくなって消えていく間に、４枚目の画像Ｐ４がアクションパネル領域４０００の左側端からプレビュー領域３０００に出現する。そして、３枚目の画像Ｐ１が消去されたあとに、プレビュー領域３０００ほぼ中央位置に向って左方向へ移動表示される。そして、図２９に示すように、プレビュー領域３０００のほぼ中央位置で停止して表示される。
【０１７０】
そして、５枚目の原稿の読込みが終了すると、４枚目の原稿の画像Ｐ４は、図２９に示すように、プレビュー領域３０００ほぼ中央位置に表示されたのち、徐々に小さくなりながら薄くなって消去される。
【０１７１】
以上のように、原稿読取部１０２により読み取られた原稿の表示画像の表示と移動が繰り返されて、最後の原稿の読込みが終了すると、最後の原稿の画像Ｐｎは、図３０に示すように、プレビュー領域３０００ほぼ中央位置に表示されたのち、徐々に小さくなりながら薄くなって消去される。
【０１７２】
そして、全ての原稿のスキャンインによる事前読込が完了すると、図３１に示すように、先頭画像表示機能１３１８により、原稿読取部１０２により入力された画像データに基づいて生成された表示画像のうちの最初に生成された表示画像、すなわち、読込まれた原稿の１枚目の画像Ｐ１（先頭ページの表示画像）がプレビュー領域３０００のほぼ中央位置に表示され、次に続く２枚目の画像Ｐ２の一部がアクションパネル領域４０００の左側端からプレビュー領域３０００に出現した状態で表示される。
【０１７３】
このようにして、原稿読込み途中で原稿詰まりにより原稿読込みが中止した場合であっても、表示パネル１３２に表示された指示通りにトラブル解消処理を進めることができるので、簡単に原稿読込み中止状態を解消して原稿読込みを再開することができる。
【０１７４】
以上のように構成したので、本実施形態によれば、画像形成装置１００において、操作ユニット１２０のタッチパネルディスプレイ１３０の操作ユニット側制御部１３１の構成として、プレビュー表示停止機能１３１１と、入力停止報知機能１３１２とを備えることで、画像データの入力中に画像データの入力が途中停止した場合に、画像データの入力状況を案内するプレビュー表示を停止して、画像データの入力が停止されたことを報知して、画像データの入力がどこまで正常に完了し、どの画像からは入力再開処理が必要なのかをユーザに知らせることができる。これにより、原稿の読取り処理が途中で中断した場合でも、停止状態の解除後に停止以降分から入力処理を再開できるようにすることで、ユーザに対して無駄な手間を与えず、利便性の向上を図ることができる。
【０１７５】
また、本実施形態では、操作ユニット側制御部１３１の構成として、案内画面表示機能１３１４を備えることで、画像データの入力中に画像データの入力が途中停止した場合に、画像データの入力停止状態を解除するための案内画面を表示して、画像データの入力停止の原因と、それに対する対処法をユーザに示すことができるので、スムーズな解決を促すことができる。
【０１７６】
また、本実施形態では、操作ユニット側制御部１３１の構成として、再開操作指示画面表示機能１３１５と、入力処理再開機能１３１６とを備えることで、画像データの入力停止状態が解除された後に、入力処理を再開する指示画面を表示して、入力処理を再開する指示があったときに、画像データの入力処理を再開することができるので、画像データの入力停止状態から復帰後に、画像データの入力処理を再開するという選択肢を、ユーザに与えることができる。
【０１７７】
また、本実施形態では、操作ユニット側制御部１３１の構成として、再入力画像報知機能１３１７を備えることで、画像データの入力停止状態から復帰後に、画像データの入力処理を再開する時点でどの画像から入力再開が必要かを報知することで、ユーザのスムーズな処理再開を促すことができる。
【０１７８】
また、本実施形態では、操作ユニット側制御部１３１の構成として、先頭画像表示機能１３１８を備えることで、画像データの入力停止状態が解除された後に、画像データの入力処理を再開した場合には、最終画像データの入力状況が表示された後に、最初に入力された画像データの表示画像を表示することで、画像データの入力停止を挟んで、全画像の画像データ入力を終えた場合でも、入力完了画面において、全画像データの表示画像を最初から順に表示することで、一連の画像データをひとかたまりのデータとしてユーザに提供することができる。
【０１７９】
尚、本実施形態では、原稿読取部１０２において何らかのトラブルが発生したことにより、画像データの入力を停止するようにしているが、本発明はこれに限定されるものではなく、ユーザの指示で画像データの入力を停止するものであっても良い。
【０１８０】
変形例として、ユーザが自らの意思でスキャン（原稿読込み）を停止する場合は、本実施形態における図２０に示すコメントＧ１を、例えば、「ユーザによってスキャンインが停止されましたので、スキャンイン処理を停止します。」と表示するようにしてもよい。
【０１８１】
また、図２１，図２２に示すトラブル解消画面やガイダンス画面の代わりに、「スキャンインを再開するか」、「スキャンインをキャンセルするか」、「出力を開始するか」等を問う画面を表示するようにしてもよい。
【０１８２】
例えば、スキャンインの再開が指示された場合は、図２３のように使用が可能である旨を通知する画面を表示し、一方、スキャンインがキャンセルされた場合は、図１１のコピー基本画面に戻るようにしてもよい。
【０１８３】
また、出力の開始が指示された場合は、スキャンイン処理は中止して、出力処理を実行し、出力中の画面を表示するようにしてもよい。
【０１８４】
尚、上述した実施形態では、本発明に係る操作ユニット１２０を図１に示すような画像形成装置１００に適用した例について説明したが、表示パネル等に入力された原稿画像をプレビュー表示が可能な操作ユニットを備える画像形成装置であれば、上述したような構成の画像形成装置や複写機に限定されるものではなく、その他の画像形成装置等に展開が可能である。
【０１８５】
以上のように、本発明は、上述した実施形態に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【０１８６】
１００  画像形成装置
１０１  主制御部
１０２  原稿読取部（入力手段）
１０３  画像処理手段
１０４  画像形成部（画像形成手段）
１０５  蓄積手段
１０７  画像出力手段
１２０  操作ユニット（画像表示操作装置）
１３０  タッチパネルディスプレイ（表示制御手段）
１３１  操作ユニット側制御部
１３２  表示パネル（表示手段）
１３４  タッチパネル
１３５  操作位置検出手段
１３６  画面表示手段
１３７  表示画像生成手段
１０００  システム領域
１３１１  プレビュー表示停止機能
１３１２  入力停止報知機能
１３１３  最終画像表示機能
１３１４  案内画面表示機能
１３１５  再開操作指示画面表示機能
１３１６  入力処理再開機能
１３１７  再入力画像報知機能
１３１８  先頭画像表示機能
２０００  機能選択領域
３０００  プレビュー領域
３００２，３００３  ミミック表示
３０１１，３０１２，３０１３  ガイドキー
３０２０  表示切換えキー
４０００  アクションパネル領域
５０００  タスクトリガー領域
５１００  実行ボタン群
Ｇ１，Ｇ２，Ｇ３，Ｇ４  コメント
Ｐ１  １枚目の画像
Ｐ２  ２枚目の画像
Ｐ３  ３枚目の画像
Ｐ４  ４枚目の画像
Ｐｎ  最終原稿の画像
【図１】
0006027650.tif 000002
【図２】
0006027650.tif 000003
【図３】
0006027650.tif 000004
【図４】
0006027650.tif 000005
【図５】
0006027650.tif 000006
【図６】
0006027650.tif 000007
【図７】
0006027650.tif 000008
【図８】
0006027650.tif 000009
【図９】
0006027650.tif 000010
【図１０】
0006027650.tif 000011
【図１１】
0006027650.tif 000012
【図１２】
0006027650.tif 000013
【図１３】
0006027650.tif 000014
【図１４】
0006027650.tif 000015
【図１５】
0006027650.tif 000016
【図１６】
0006027650.tif 000017
【図１７】
0006027650.tif 000018
【図１８】
0006027650.tif 000019
【図１９】
0006027650.tif 000020
【図２０】
0006027650.tif 000021
【図２１】
0006027650.tif 000022
【図２２】
0006027650.tif 000023
【図２３】
0006027650.tif 000024
【図２４】
0006027650.tif 000025
【図２５】
0006027650.tif 000026
【図２６】
0006027650.tif 000027
【図２７】
0006027650.tif 000028
【図２８】
0006027650.tif 000029
【図２９】
0006027650.tif 000030
【図３０】
0006027650.tif 000031
【図３１】
0006027650.tif 000032
【図３２】
0006027650.tif 000033
【図３３】
0006027650.tif 000034